(57)【特許請求の範囲】
【請求項１】
建物躯体の床面上に架台となる下枠部を設置し、下枠部で囲まれる部分にユニットルームの底面となるユニット底部を設置し、下枠部の周縁から壁パネルを保持し且つ隣接する壁パネルを繋ぐ壁ジョイナーを立設してなるユニットルームの持出し支持構造であって、複数の壁ジョイナーから外側方に持出し梁を設けると共に、持出し梁の外側端間に横架材を架設して持出し枠を形成し、縦片部と該縦片部の下端部から側方に連設される横片部とからなる側面視略Ｌ字状をした支持部材を、その縦片部を横架材に固定すると共に横片部を下枠部に固定して成ることを特徴とするユニットルームの持出し支持構造。
【発明の詳細な説明】
【技術分野】
【０００１】
本発明は、ユニットルームの持出し支持構造に関するものである。
【背景技術】
【０００２】
従来から、建物躯体に浴室等となるユニットルームを設置することが行われている。ユニットルームは、建物躯体の床面上に架台となる下枠部を設置し、下枠部で囲まれる部分に床パンや浴槽フランジ等のユニットルームの底面となるユニット底部を設置し、下枠部の周縁から、ユニットルームの側壁となる壁パネルを保持し且つ隣接する壁パネルを繋ぐ壁ジョイナーを立設し、壁パネルの上端部に天井パネルを載置することで形成してある。
【特許文献１】特開２００７−１６５６４号公報（第９−１０頁、第８図）
【発明の開示】
【発明が解決しようとする課題】
【０００３】
ところで、このようなユニットルームにおいては、壁パネルに持出しを形成してカウンター等を構成することが行われている。持出しは、壁パネルの下部を腰壁パネルとし、腰壁パネルの上端部の長手方向の複数箇所から外側方に持出し梁を設けると共に、持出し梁の外側端間に横架材を架設して持出し枠を形成し、持出し枠に持出しカウンターを載置して行うものである。
【０００４】
従来においては、持出し枠及び持出しカウンターの荷重を支持するため、建物躯体の床面上にアジャスターボルトを設置して、アジャスターボルトにより持出し枠及び持出しカウンターを支持したり、あるいは図４に示すように、持出しカウンター５３をアジャスターボルトＡで直接支持したりしていた（例えば特許文献１参照）。図中の符号Ｐや床パンを示す。
【０００５】
しかしながら、アジャスターボルトを用いる方法では、高さ調節のため施工の手間がかかるとともに、アジャスターボルトの部品コストがかさむ、という問題があった。
【０００６】
本発明は上記従来の問題点に鑑みて発明したものであって、その目的とするところは、持出しを支持するにあたり建物躯体の床面上に設置したアジャスターボルトが不要で、アジャスターボルトを用いる際の高さ調節等の施工の手間がかからず、アジャスターボルトの部品コストがかさまないユニットルームの持出し支持構造を提供することを課題とするものである。
【課題を解決するための手段】
【０００７】
上記課題を解決するために請求項１に係る発明は、建物躯体の床面上に架台となる下枠部１を設置し、下枠部１で囲まれる部分にユニットルームの底面となるユニット底部２を設置し、下枠部１の周縁から壁パネル３を保持し且つ隣接する壁パネル３を繋ぐ壁ジョイナー４を立設してなるユニットルームの持出し支持構造であって、複数の壁ジョイナー４から外側方に持出し梁５１を設けると共に、持出し梁５１の外側端間に横架材５２を架設して持出し枠５を形成し、縦片部６１と該縦片部６１の下端部から側方に連設される横片部６２とからなる略Ｌ字状をした支持部材６を、その縦片部６１の上端部を横架材５２に固定すると共に横片部６２の側端部を下枠部１に固定して成ることを特徴とするものである。
【０００８】
このような構成とすることで、支持部材６により持出し枠５を支持することが可能となって、従来のアジャスターボルトが不要となるものである。
【発明の効果】
【０００９】
本発明にあっては、支持部材により持出し枠を支持することが可能となって、従来のように建物躯体の床面上にアジャスターボルトを設置することが不要となり、アジャスターボルトを用いる際の高さ調節等の施工の手間がかからないと共に、アジャスターボルトの部品コストがかさまない。
【発明を実施するための最良の形態】
【００１０】
以下、本発明のユニットルームの持出し支持構造について図１乃至図３に基づいて説明する。ユニットルームとしては様々なものが挙げられ、本実施形態では浴室ユニットとして説明するが、特に限定されない。
【００１１】
建物躯体の浴室スペースの床面上に架台となる下枠部１を設置し、下枠部１で囲まれる部分に床パンや浴槽フランジ等のユニットルームの底面となるユニット底部２を設置する。下枠部１の周縁から、ユニットルームの側壁となる壁パネル３を保持し且つ隣接する壁パネル３を繋ぐための複数の壁ジョイナー４を立設し、ユニット底部２の周縁部（すなわち床パンや浴槽フランジの周縁部）又は下枠部１の周縁部から上方に壁パネル３を立設し、壁パネル３の上端部に天井パネルを載設して浴室ユニットを形成するもので、ユニット底部２又は下枠部１の周縁部の壁パネル３が載置される部分は上方に立設片Ｒ１が立設してあると共に、立設片Ｒ１の内側に水平部Ｒ２が形成してあり、この水平部Ｒ２に壁パネル３の下端部を載置する。
【００１２】
本実施形態では、浴室ユニットの浴槽が設置される部分と洗い場となる部分とが並ぶ側壁の壁パネル３に持出しを形成するもので、持出しの突出部は浴槽フランジの上方に形成され、この側壁の持出しの下側の洗い場側は洗い場腰壁パネル３が設けられると共に浴槽側は浴槽フランジの上端部との間に浴槽腰壁パネル３が設けられる。なお、浴槽フランジに囲まれる部分には槽部が設置されると共に、浴槽フランジの洗い場側の端部と洗い場の浴槽側の端部との間にエプロンが設けてある。
【００１３】
複数の壁ジョイナー４から外側方に持出し梁５１が設けてある。持出し梁５１は、本実施形態では側面視略転倒Ｌ字状の縦片５１ａ及び横片５１ｂと、縦片６１と横片とを連結する三角形状の連結片５１ｃからなるもので、上側の横片は浴槽腰壁パネル３の上端と略同じレベルとしてある。
【００１４】
持出し梁５１の外側端間には横架材５２が架設してある。横架材５２は、上方に開口する断面略コ字状をしたアングル材からなる。
【００１５】
上記持出し梁５１と横架材５２とで持出し枠５が形成してあり、持出し枠５に持出しカウンター５３を載置して持出しを構成するのであるが、本発明では更に、支持部材６を設けて持出しの支持を強固に行っている。
【００１６】
支持部材６は、図２に示すように、縦片部６１と、該縦片部６１の下端部から側方に連設される横片部６２とからなる略Ｌ字状をしたもので、本実施形態では縦片部６１及び横片部６２にＬ字状のアングル材を用いて、溶接により連結して形成してある。
【００１７】
この支持部材６は、その縦片部６１の上端部を横架材５２に固定すると共に、横片部６２の側端部を下枠部１に固定して設けるものである。本実施形態では、横片部６２の側端部に、下方に開口する係合溝６２ａを形成して、下枠部１の立設片Ｒ１を前記係合溝６２ａに嵌入して係合することで、仮固定を行い、その後、溶接により本固定を行う。また縦片部６１は、上端部に水平片６１ａを連設し、該水平片６１ａに設けた挿通孔６１ｂを介してビスからなる固着具６３を横架材５２の固着孔に固着して固定する。
【００１８】
上記の持出し支持構造においては、図３（ａ）に示すように、持出しカウンター５３やその上に載置した物の荷重が持出し梁５１にかかって撓むと、支持部材６に力Ｆが掛かって縦片部６１の上端部を下方に押圧するが、支持部材６を略Ｌ字状に形成してあることで、図３（ｂ）に示すように力Ｆが横片部６２を横に押す力Ｆとなって、ユニット底部２又は下枠部１の周縁部の立設片Ｒ１を外から押すこととなり、立設片Ｒ１に下向きの荷重が集中するのを防止することができると共に、持出しが重みで下方に傾くのを防止することができる。
【００１９】
これにより、従来のように建物躯体の床面上にアジャスターボルトを設置することが不要となり、アジャスターボルトを用いる際の高さ調節等の施工の手間がかからないと共に、アジャスターボルトの部品コストがかさまないものである。
【図面の簡単な説明】
【００２０】
【図１】本発明の一実施形態を示し、（ａ）は要部側面図であり、（ｂ）は要部正面図である。
【図２】同上における支持部材を示し、（ａ）は側面図であり、（ｂ）は正面図であり、（ｃ）は下面図である。
【図３】（ａ）（ｂ）同上における支持部材の力の支持を説明する図である。
【図４】従来例の要部側面図である。
【符号の説明】
【００２１】
１    下枠部
２    ユニット底部
３    壁パネル
４    壁ジョイナー
５    持出し枠
５１  持出し梁
５１ａ  縦片
５１ｂ  横片
５１ｃ  連結片
５２  横架材
５３  持出しカウンター
６    支持部材
６１  縦片部
６１ａ  水平片
６１ｂ  挿通孔
６２  横片部
６２ａ  係合溝
６３  固着具
Ｒ１  立設片
Ｒ２  水平部
【図１】
0005054565.tif 000002
【図２】
0005054565.tif 000003
【図３】
0005054565.tif 000004
【図４】
0005054565.tif 000005